(57)【要約】  無線チャネルを表す無線チャネル・データと少なくとも１つのユーザ信号を含むユーザ・データとを読み取り、１又は複数のＦＩＲブロック（１００Ａ〜１００Ｅ）からなるＦＩＲフィルタを用いて無線チャネルのシミュレーションを行い、シミュレーションと関連して無線チャネル・データに基づいて読み取られたユーザ・データをフィルタ処理するように構成された無線チャネル・シミュレータを提供する。無線チャネル・シミュレータ（６００）は、シミュレーション中に無線チャネル遅延を表す遅延レベルにおいて少なくとも１つのＦＩＲブロック（１００Ａ〜１００Ｅ）を転送するように構成されている。
2005510945.tif 000002
【特許請求の範囲】
【請求項１】
無線チャネルのシミュレーション方法であって、
無線信号を表すユーザ・データと、異なる時点における前記無線チャネルを表す無線チャネル・データとを利用して、前記無線チャネルのシミュレーションを行い（３０４〜３０８）、該シミュレーションによって、前記無線チャネル・データに基づいて、ＦＩＲフィルタにおいて、１又は複数のＦＩＲブロック（１００Ａ〜１００Ｅ）を用いて前記ユーザ・データをフィルタ処理するステップを備えたシミュレーション方法において、
シミュレーションの前及び／又はシミュレーション中に、前記無線チャネル・データを分析し、異なる時点における前記無線チャネルに対する有意なユーザ・データ値の位置を突き止めるステップと、
シミュレーション中での無線チャネル遅延を表す遅延レベルで、前記ＦＩＲブロック（１００Ａ〜１００Ｅ）の少なくとも１つを転送し（３０８）、前記ＦＩＲブロックが前記突き止めた有為なユーザ・データ値をカバーするようにするステップと
からなることを特徴とする無線チャネルのシミュレーション方法。
【請求項２】
請求項１記載の方法において、前記遅延レベルで前記ブロックを転送するために前記ＦＩＲブロックの遅延を設定する際に、ＦＩＦＯ遅延パラメータを用いることを特徴とする方法。
【請求項３】
請求項１記載の方法において、各時点においてシミュレーションに必要な数のＦＩＲブロックのみを割り当て、使用しないＦＩＲブロックを使用から解除することを特徴とする方法。
【請求項４】
無線チャネル・シミュレータであって、
無線チャネルを記述する無線チャネル・データと、少なくとも１つのユーザ信号を含むユーザ・データとを読み取る手段（６０４〜６０６、６１４）と、
前記無線チャネルのシミュレーションを行うＦＩＲフィルタであって、前記シムレーションと関連して前記無線チャネル・データに基づいて読み取られたユーザ・データをフィルタ処理する１又は複数のＦＩＲブロック（１００Ａ〜１００Ｅ）からなる無線チャネル・シミュレータ（６００）において、
シミュレーションの前及び／又はシミュレーション中に前記無線チャネル・データを予め分析し、異なる時点での前記無線チャネルに関する有意なユーザ・データ値の位置を突き止める手段と、
前記１又は複数のＦＩＲブロック（１００Ａ〜１００Ｅ）をフィルタ処理の目的で割り当てる割り当て手段であって、シミュレーション中での無線チャネル遅延を表す遅延レベルで、前記ＦＩＲブロック（１００Ａ〜１００Ｅ）の少なくとも１つを転送し、前記ＦＩＲブロックが前記突き止めた有為なユーザ・データ値をカバーするように構成された、割り当て手段（６１４）と
を備えていることを特徴とする無線チャネル・シミュレータ。
【請求項５】
請求項４記載の無線チャネル・シミュレータにおいて、前記割り当て手段は、ＦＩＦＯ遅延パラメータを設定することによって、前記遅延レベルで前記ＦＩＲブロックを転送するように構成されていることを特徴とする無線チャネル・シミュレータ。
【請求項６】
請求項４記載の無線チャネル・シミュレータにおいて、前記割り当て手段は、シミュレーションに用いられる各時点において適切な数のＦＩＲブロックを使用し、前記各時点において必要とされないＦＩＲブロックを解除するように構成されていることを特徴とする無線チャネル・シミュレータ。
【請求項７】
無線チャネル・シミュレータであって、
無線チャネルを表す無線チャネル・データと、少なくとも１つのユーザ信号を含むユーザ・データとを読み取り、
１又は複数のＦＩＲブロック（１００Ａ〜１００Ｅ）からなるＦＩＲフィルタを用いて前記無線チャネルのシミュレーションを行い、前記シミュレーションと関連して前記無線チャネル・データに基づいて読み取られたユーザ・データをフィルタ処理するように構成されている、無線チャネル・シミュレータ（６００）において、
シミュレーションの前及び／又はシミュレーション中に前記無線チャネル・データを予め分析し、異なる時点における前記無線チャネルに関する有意なユーザ・データ値の位置を突き止め、
無線チャネル遅延を表す遅延レベルで少なくとも１つのＦＩＲブロック（１００Ａ〜１００Ｅ）を転送し、前記ＦＩＲブロックが前記突き止めた有為なユーザ・データ値をカバーする
ように構成されていることを特徴とする無線チャネル・シミュレータ。
【請求項８】
請求項７記載の無線チャネル・シミュレータにおいて、前記前記無線チャネル・シミュレータは、ＦＩＦＯ遅延パラメータを設定することによって、前記遅延レベルで前記ＦＩＲブロックを転送するように構成されていることを特徴とする無線チャネル・シミュレータ。
【請求項９】
請求項７記載の無線チャネル・シミュレータにおいて、前記無線チャネル・シミュレータは、シミュレーションに用いられる各時点において適切な数のＦＩＲブロックを使用し、前記各時点において必要とされないＦＩＲブロックを解除するように構成されていることを特徴とする無線チャネル・シミュレータ。
【発明の詳細な説明】
【技術分野】
【０００１】
本発明は、無線チャネルのシミュレーション方法及びこの方法を実施する装置に関する。特に、本発明は、変化しつつあるチャネルの状態での装置資源の割り当てに関する。
【背景技術】
【０００２】
無線システムにおける本質的な問題の１つは、無線チャネルの特性が時間の関数として素早く変動することである。これは、例えば、接続に関わる当事者の少なくとも一人が移動することが多い移動通信システムに関係する。つまり、無線チャネルのインパルス応答は、広い位相及び振幅範囲内で、毎秒数千回まで変動する。この現象は性質上ランダムであり、したがって、統計的手段を用いて数学的に記述することができる。加えて、距離が変化すると、インパルス応答に対する遅延が変動する。このような現象は、用いる無線接続や装置の設計を複雑化する。
【０００３】
無線チャネルの変動には多くの理由がある。無線チャネル上で送信機から受信機に無線周波数信号を送信する場合、信号は１又は複数の経路に沿って伝搬し、その各々において、信号の位相及び振幅が変動し、異なる長さ及び強さのフェージングが信号に生ずる。加えて、他の送信機からのノイズや干渉も、距離の変化と同様に、無線通信を妨害する。
【０００４】
無線チャネルの検査は、実際の条件でも、実際の条件を模擬するシミュレータを用いても、行うことができる。実際の条件において行う検査は困難である。何故なら、例えば、検査を戸外で行う場合、例えば、常に変化する天候や季節による影響を受ける。同じ場所で測定を行っても、異なる時点では、異なる結果が得られる。加えて、都市のような特定の環境で行われる検査は、他の都市で行われた検査には完全に適用できない。一般に、可能な限り最悪の状況は、実際の条件では検査することはできない。
【０００５】
図１Ａ及び図１Ｂは、異なる２時点における無線チャネルのインパルス応答パターンを示す。図において、ｘ軸は信号成分の遅延を記述し、ｙ軸は信号の振幅、即ち、エネルギを示す。また、これらの図は、インパルス応答タップ数、遅延及びエネルギが、無線チャネル上で発生する変化の結果として、時間の関数として変動すること、そして図１Ａ及び図１Ｂ間において細かい相違は見られるものの、対象となるチャネルは殆ど不変であることを示す。一方、図１Ｃにおける座標は、異なる時点において形成されたインパルス応答の平均エネルギを示す。図１Ａ及び図１Ｂは、平均エネルギを計算する際に、数個のインパルス応答を用いることを示す。図１Ｃは、遅延軸に関してインパルス応答を形成する際に用いられるＦＩＲフィルタ（有限インパルス応答）における、ＦＩＲブロック１００Ａ〜１００Ｃの割り当てを示す。従来技術では、割り当てを行う際に、予めエネルギ平均を分析し、実際のシミュレーションではＦＩＲブロックで全ての有意なエネルギ成分を覆うようにする。
【０００６】
図２Ａ及び図２Ｂは、異なる２つの時点におけるインパルス応答を示す。図２Ａ及び図２Ｂは、スライディング・タップ(sliding tap)として知られているものを示す。これは、例えば、無線接続に影響を及ぼす地形における大きな反射変化、及び地形における特定の場所に関して発散する(diverge)、移動電話機のような端末によって起こる。この図は、スライディング・タップがｍ平均エネルギ・パターンにおいて広い遅延範囲内で低いエネルギ・レベルとして示されることを表している。遅延軸上のエネルギ分布全体をカバーするためには、ＦＩＲブロック１００Ａ〜１００Ｆを、従来技術に応じて、遅延範囲全域にわたって対応的に割り当てる。
【発明の開示】
【発明が解決しようとする課題】
【０００７】
従来技術の割り当てに伴う重大な欠点の１つは、特定のチャネル・モデルに関係する場合、装置資源を無駄に割り当てなければならないことである。このようなチャネル・モデルの例に、スライディング・タップ・チャネル・モデルがある。
本発明の目的は、種々のチャネル・モデル状況において最適に装置資源を利用するようにするための方法を及び該方法を実施する装置を提供することである。
【課題を解決するための手段】
【０００８】
本発明の目的は、無線チャネルのシミュレーション方法によって達成され、この方法は、無線信号を記述するユーザ・データと、異なる時点における無線チャネルを記述する無線チャネル・データとを利用して、無線チャネルのシミュレーションを行い、このシミュレーションによって、無線チャネル・データに基づいてＦＩＲフィルタにおいて、１又は複数のＦＩＲブロックを用いてユーザ・データをフィルタ処理することからなる。
【０００９】
更に、本発明は、無線チャネルを記述する無線チャネル・データと少なくとも１つのユーザ信号を含むユーザ・データとを読み取る手段と、無線チャネルのシミュレーションを行うＦＩＲフィルタであって、シミュレーションと関連して無線チャネル・データに基づいて読み取られたユーザ・データをフィルタ処理する１又は複数のＦＩＲブロックからなる、ＦＩＲフィルタとを備えた無線チャネル・シミュレータに関する。この無線チャネル・シミュレータは、１又は複数のＦＩＲブロックをフィルタ処理の目的で割り当てるための割り当て手段を備えており、この割り当て手段は、シミュレーション中での無線チャネル遅延を表す遅延レベルにおいて、少なくとも１つのＦＩＲブロックを転送するように構成されている。
【００１０】
更に、本発明は、無線チャネルを記述する無線チャネル・データと少なくとも１つのユーザ信号を含むユーザ・データとを読み取り、１又は複数のＦＩＲブロックからなるＦＩＲフィルタを用いて無線チャネルのシミュレーションを行い、シミュレーションと関連して無線チャネル・データに基づいて読み取られたユーザ・データをフィルタ処理するように構成された無線チャネル・シミュレータに関する。この無線チャネル・シミュレータは、シミュレーション中での無線チャネル遅延を表す遅延レベルで少なくとも１つのＦＩＲブロックを転送するように構成されている。
本発明の好適な実施形態は、従属請求項に開示されている。
【００１１】
本発明は、無線チャネル・シミュレータに関し、無線信号を表すユーザ・データをシミュレータに読み込み、更に無線チャネルを表す無線チャネル・データも読み込む。本発明の明細書においてシミュレーションが意味するのは、特定の無線チャネル・データをＦＩＲフィルタに供給しユーザ・データをフィルタ処理するシミュレーション・セッションである。
【００１２】
本発明は、無線チャネルのシミュレーションを行うときにＦＩＲブロックを動的に割り当てることによって、必要な数のブロックのみを割り当てるという考えに基づいている。このような場合、不要なブロックを解除することができ、例えば、マルチチャネル・シミュレータに関する場合、ブロックは他のチャネルを処理するために利用することができる。好適な実施形態では、チャネルの遅延及び振幅データを、シミュレーションの前に予め分析しておくことによって、無線チャネルにとって有意な成分の遅延を異なる時点で示し、実際のシミュレーションの間、ＦＩＲブロックを、無線チャネル遅延を表す遅延レベルで、適切な場所に割り当てることができる。第２の好適な実施形態によれば、無線チャネル・データは、シミュレーション中にリアル・タイムで分析され、対応して、割り当てに関する決定を、シミュレーションに関連付けて行う。遅延軸でのＦＩＲブロックの転送は、例えば、ブロックに新たな遅延値を設定することによって行う。
【発明の効果】
【００１３】
数々の利点が本発明によって得られる。実際のシミュレーションの間、ＦＩＲブロックを適切な場所に適切な時点で正確に割り当てることができる。したがって、例えば、他の無線チャネルのシミュレーションを行うマルチチャネル・シミュレータにおいて利用可能な装置資源が、大幅に削減できる。
【発明を実施するための最良の形態】
【００１４】
以下に、添付図面を参照しながら、好適な実施形態を用いて本発明について更に詳細に説明する。
最初に、本発明の基本的思想を示す図２Ｄを詳しく検討することにする。図２Ａ及び図２Ｂに示したチャネル状況は、２つの異なる時点間でチャネルが変化したことにより、図２Ｂでは一方のタップが遅延軸上で遅延が大きくなる方向にずれたことを意味する。図２Ｄは、第１ＦＩＲブロック１００Ａは実質的に第１タップの位置に留まるが、第２ＦＩＲブロック１００Ｂは、破線で示す第１スポットから、実線で示す第２時点の第２スポットに割り当てられることを示す。例えば、単純なチャネル・モデルの場合、タップが標準的な速度で転送されると、時間シーケンスの間の所定の遅延シーケンスで、ＦＩＲブロックを転送することができる。しかしながら、チャネルを形成するために用いるデータは、予め分析しておくことが好ましく、これにより、異なるインパルス応答を形成する時点でエネルギ成分の遅延を正確に把握し、ＦＩＲブロックを遅延軸上の適切なスポットに割り当てることが可能となる。前述したスライディング・タップのチャネル・モデルは単なる一例として説明したに過ぎないことは認められるであろう。当然、本発明の解決手段は、タップの遅延が時間の関数として更に複雑に増減するような他のチャネル・モデルにも適用可能である。
【００１５】
図３は、本発明による方法の好適な実施形態を示す。この方法においては、初期ステップで、電流をチャネル・シミュレータに流し、その後ステップ３００において、ハードウェア構成を読み取る。これは、装置の制御手段が装置の現在の構成をチェックすることを意味する。こうして、制御手段は、装置の組立、すなわち、装置を構成するモジュールを知ることができる。加えて、プロセスの開始時に、ユーザからシミュレーション・パラメータを受ける。好ましくは、これを行うには、適切なユーザ・インターフェース・ソフトウエア、ディスプレイ、及びキーボードを用いる。通例、シミュレーション・パラメータは、送信機の数、受信機の数、シミュレーションするチャネルの数、及びその特性からなる。例えば、検査環境が送信又は受信ダイバシティ、又は干渉する可能性がある送信機を含む場合には、送信機及び受信機の数は、常に一定ではない。
【００１６】
ステップ３０２において、インパルス応答、又は無線チャネル・データを分析する。このステップでは、インパルス応答データ全体をチェックし、異なる時点におけるデータから、有意なエネルギ・レベルの位置を突き止める。無線チャネルでは、データ値の有意性を推定し、無線チャネル・データに応じて異なる判断基準を用いることができる。例えば、振幅を判断基準の１つとして用いることができる。言い換えると、特定の振幅値を超過するデータ値を、有意なデータ値と見なすことができる。一方、ある無線チャネル・モデルに関して、サンプル値が特定の遅延エリア内の唯一のサンプルである場合には、小さな振幅を有するサンプル値が無線チャネルにとって有意である場合もある。無線チャネルに関して、サンプルの有意性は、前述の方法以外にも、多数の方法で推定することができる。分析の結果、インパルス応答が、実質的に位置が固定した１つの遅延成分と、遅延レベルで移動する成分とを含む、という情報を取得する。ステップ３０４において、分析結果を装置に提供し、装置が、シミュレーションの間に、ＦＩＲブロックを遅延軸上の所望の位置に割り当てることができるようにする。あるいは、制御情報を制御装置にシミュレーション中にリアル・タイムで提供することもできる。ステップ３０６において、装置において信号を受信する。装置は、無線又はベース・バンド・モードのいずれのものでもよい。ステップ３０８において、実際のシミュレーションを実行する。この場合、ＦＩＲフィルタを用いて、１又は複数のユーザ信号を含む受信ユーザ・データをフィルタ処理し、無線チャネルによって生じた信号歪みをモデル化する。無線チャネル・データに基づいて、ＦＩＲフィルタは、アナログ・サンプル又はデジタル・データのような受信ユーザ・データを、数個のＦＩＲブロックによって、乗算し遅延させる。ＦＩＲブロックは、ステップ３０２において形成された分析データに基づいて、遅延レベルで動的に適切な場所に割り当てられる。ステップ３１０では、チャネルのシミュレーションを行うときに、ＦＩＲブロックの数及び位置をどのように変化させなければならないかについて、示す。不要なＦＩＲブロックは、削除して、例えば、別のチャネルのシミュレーションのために、マルチチャネル・シミュレータに割り当てることができる。方法パターン３におけるステップ３０４、３０６、３０８及び３１０は連続ステップとして説明したが、シミュレーションの間ユーザ・データ及び無線チャネル・データは連続であり、実質的に同時プロセスであることは自明である。
【００１７】
次に、装置例を用いて好適な実施形態を詳しく検討する。図４は、マルチチャネル・シミュレータの構造を示す例である。この図は、第１組の装置４００〜４０８及び第２組の装置４４０〜４４８、並びにチャネル・シミュレーション装置４２０を示す。第１組の装置４００〜４０８は、移動電話機を含むことができ、これらはそのアンテナ・コネクタを介してチャネル・シミュレーション装置４２０の入力に接続されており、装置４２０の入力の１つに一例として参照番号４２２を付けている。一方、第２組の装置４４０〜４４８は、基地局装置の受信機とすることができ、例えば、チャネル・シミュレーション４２０の出力に接続されており、装置４２０の入力の１つに一例として参照番号４２４を付けている。第１及び第２装置の数は、必ずしも同一とは限らないが、この例では、両装置の数が５つであることを示す。チャネル・シミュレーション装置４２０は、無線及びベース・バンド・ユニット、又はベース・バンド・ユニットのみのいずれかを用いて実現することができる。ベース・バンド・ユニットでは、信号にチャネル・フェージングの影響を与え、ＦＩＲフィルタを用いて実現するのが通例である。所望の形態のチャネルを得るには、ＦＩＲフィルタのタップ及び／又は遅延パラメータを変化させる。ＦＩＲフィルタに必要な情報は、シミュレーション制御ユニットにおいて形成される。シミュレーション制御ユニットは、制御経路を用いて、ＦＩＲフィルタ及びシミュレータの動作全体を制御する。制御経路は、例えば、シミュレーション実行前に装置の異なる部分に対する周波数パラメータ及び増幅に関するデータを搬送する。当該制御手段、及び本発明による方法を実施する、その他の装置の解決手段は、好ましくは、プロセッサすなわちコンピュータ、及び適したソフトウエアを用いて実現することができる。プロセッサは、当然、別個の構成素子で構成されたプログラム可能なロジックと置換することができる。更に、制御手段は、ディスプレイやキーボードのようなユーザ・インターフェース装置を備え、これらによって、シミュレーション・パラメータを装置に供給することができる。
【００１８】
一般に、チャネル・シミュレータ装置４２０は、数個のチャネル素子を含み、その全てが所望のチャネル形式のシミュレーション及びモデル化を行うことができる。図４に示すチャネル・シミュレータ装置は、６つの構成要素を備えている。各構成要素は、無線周波数部及びベース・バンド部双方を備えており、したがって、信号は、無線周波数モード又はベース・バンド・モードのいずれかで、チャネル・シミュレータ装置４２０の入力４２２に接続される。無線周波数部では、信号をベース・バンド・モードに変更することができ、その後ベース・バンド信号をベース・バンド部に印加し、信号にフェージング効果を付加する。
【００１９】
本発明に関して、図５は、チャネルのシミュレーションを行うために用いられる装置の必須部分を示す。図４において説明したように、装置の入力４２２は、無線周波数又はベース・バンド信号データのいずれかである。無線チャネル・データも含むユーザ・データは、ユーザ・データ及び信号データを読み取る手段を用いて読み取られる。入力情報４２２は、遅延ユニット５０４Ａに向けて送出される。遅延ユニット５０４Ａは、ＦＩＲブロックを所望の期間遅延させ、ＦＩＲブロック１００Ａが適切な時点においてタップ又はタップ群の所望の遅延スポットに現れるようにすることを目的とする。ステップ３０２に関連して説明した遅延ユニット５０４Ａ〜５０４Ｅにも、インパルス応答の前処理の間に形成した遅延パラメータを供給する。遅延パラメータは、予め形成しておくか、あるいは無線チャネル・データを分析するシミュレータ手段を用いて、シミュレーションの間に形成する。図は、各ＦＩＲブロック１００Ａ〜１００Ｅ毎に遅延ユニット５０４Ａ〜５０４Ｅを示しているが、異なる数の遅延ユニット５０４Ａ〜５０４Ｅを用いても、ＦＩＲブロックを制御可能であることは明白である。ＦＩＲブロック１００Ａ〜１００Ｅの出力情報を加算し、こうして形成された信号はチャネル上で歪んでおり、これを出力信号４２４として受信装置に向けて送出する。また、チャネル・シミュレータは割り当て手段も含むが、説明の明確化のために、図には示していない。割り当て手段の目的は、使用する必要な数のＦＩＲブロックを割り当てるため、他のチャネルによって処理されべき不要なブロックを解除（削除）することである。チャネル・シミュレータの動作、無線チャネル・データを分析する手段、ユーザ及び無線チャネル・データを読み取る手段、割り当て手段、及び好適な実施形態の実現に必要なその他のあらゆる手段は、例えば、ソフトウエアによって、ＡＳＩＣのような別個の論理構成要素を用いて、又はその他のいずれかの公知の方法を用いて実現される。
【００２０】
図６は、図４に関連して説明して、前述のベース・バンド・ユニット６００の構造を具体的に示す。ベース・バンド・ユニット６００の動作は、２つの異なるブロック、即ち、インターフェース・ブロックに分割することができ、ベース・バンド・ユニット６００の入出力部と、実際のチャネル・シミュレーションに必要な構成要素からなるデジタル・ブロックとで構成される。インターフェース・ブロックには、入力として、無線周波数ユニットから、アナログ・モード６０２又はデジタル・モード６１０のいずれかの送信信号が供給される。この信号は、別個の単位としてのＩ及びＱブランチの信号で構成される。アナログ入力６０２は、ロー・パス・フィルタ６０４及び６０６を介して、アナログ／デジタル変換器６０８に印加される。次いで、デジタル・モードのＩ及びＱ信号６１２は、デジタル・ブロックの遅延ユニット５０４Ａに印加される。これは図５にも記載されている。
【００２１】
遅延ユニット５０４Ａの動作は、制御ユニット６１４によって制御され、制御ユニット６１４は、好ましくは、チャネル・モード・データの分析データを利用して、ＦＩＲブロックを遅延軸上の必要な位置に差し向ける。また、好ましくは、制御ユニットは、ＦＩＲブロック１００Ａの遅延素子６１６Ａ〜６１６Ｄも制御する。１つのＦＩＲブロック１００Ａを用いて、インパルス応答におけるクロース・タップを含むタップ群を監視することができ、これによって、１つの遅延素子を、タップ群における各タップに対応するように設定し、遅延素子における遅延を別個に設定することができる。ＦＩＲブロックにおけるフィルタ素子６１８Ａ〜６１８Ｄは、受信信号に対して既知のＦＩＲフィルタ処理を実行し、該ＦＩＲフィルタ処理によって信号にチャネル効果を与える。ＦＩＲ素子６１８Ａ〜６１８Ｄのタップ係数は、乗算ユニット６２２から供給され、その動作は制御ユニット６１４によって制御される。ＦＩＲ素子６１８Ａ〜６１８Ｄの出力は、加算器６２０Ａ〜６２０Ｄにおいて、加算される。その和をインターフェース・ブロックに入力し、更にそこから、デジタル・モードで直接出力する（６２４）か、又はアナログ・モード６３２では、デジタル／アナログ変換器６２６及びロー・パス・フィルタ６２８、６３０を介して無線周波数ユニットに出力する。
【００２２】
以上、添付図面に示した例を参照しながら本発明について説明したが、本発明はそれに限定されるのではなく、添付した特許請求の範囲以内で種々の方法で変更が可能であることは明白である。
【図面の簡単な説明】
【００２３】
【図１Ａ】異なる２時点におけるチャネル・モデルによるインパルス応答パターンを示す図である。
【図１Ｂ】異なる２時点におけるチャネル・モデルによるインパルス応答パターンを示す図である。
【図１Ｃ】インパルス応答のエネルギ平均を示し、更にＦＩＲブロックの割り当ても例示する図である。
【図２Ａ】インパルス応答パターンを示し、異なる２つの時点における無線チャネルを示す図である。ここでは、インパルス応答の第２タップをスライディング・タップと呼ぶ。
【図２Ｂ】インパルス応答パターンを示し、異なる２つの時点における無線チャネルを示す図である。ここでは、インパルス応答の第２タップをスライディング・タップと呼ぶ。
【図２Ｃ】インパルス応答のエネルギ平均を示し、更に、図２Ａ及び図２Ｂを参照してエネルギ平均に基づく従来技術のＦＩＲブロックの割り当てを示す図である。
【図２Ｄ】本発明の好適な実施形態によるＦＩＲブロックの割り当てを示し、図２Ａ及び図２Ｂに示したスライディング・タップを一例として表している図である。
【図３】本発明による方法の好適な実施形態を示す図である。
【図４】マルチチャネル・チャネル・シミュレータを概略的に示す図である。
【図５】本発明によるＦＩＲフィルタの好適な実施形態を示す図である。
【図６】ＦＩＲブロックの動作を具体的に示す図である。
【図１Ａ】
2005510945.tif 000003
【図１Ｂ】
2005510945.tif 000004
【図１Ｃ】
2005510945.tif 000005
【図２Ａ】
2005510945.tif 000006
【図２Ｂ】
2005510945.tif 000007
【図２Ｃ】
2005510945.tif 000008
【図２Ｄ】
2005510945.tif 000009
【図３】
2005510945.tif 000010
【図４】
2005510945.tif 000011
【図５】
2005510945.tif 000012
【図６】
2005510945.tif 000013
【国際調査報告】
2005510945.tif 000014
2005510945.tif 000015